Podtech/llm-jp-corpus-v4-ja_patent huggingface dataset:
【手続補正書】
【提出日】平成21年7月28日(2009.7.28)
【手続補正１】
【補正対象書類名】明細書
【補正対象項目名】００４０
【補正方法】変更
【補正の内容】
【００４０】
ステップＳ２８では、ステップＳ２６と同様に、光量調整ルーチンの開始前における
フォーカスレンズ３８の位置から駆動後の位置までの移動量がプロセッサ側メモリ４６に記録され、
光量調整ルーチンは終了する。そして光量・ホワイトバランス調整ルーチンのステップＳ１９に進み、
ホワイトバランスルーチン（図４参照）が開始される。
【手続補正２】
【補正対象書類名】明細書
【補正対象項目名】００４１
【補正方法】変更
【補正の内容】
【００４１】
ホワイトバランスルーチンでは、ＣＰＵ３２における演算により、以下のようにホワイトバランスが調整される。
ここでは、Ｇ（緑色）を固定してＲ（赤色）、Ｂ（青色）のゲインを調整することによりホワイトバランスが
調整される。ステップＳ３１では、スコープ側メモリ２４からＲ、Ｂの各ゲイン値が読み出され、
さらにＲ、Ｂの各ゲインの変化値が所定の値に設定されてステップＳ３２に進む。
【手続補正３】
【補正対象書類名】明細書
【補正対象項目名】００４５
【補正方法】変更
【補正の内容】
【００４５】
ステップＳ３８では、ステップＳ３２〜Ｓ３７までをこれまでに１０回繰り返したか否かが判断される。
そしてステップＳ３２〜Ｓ３７が１０回反復されたと判断されると、もはやホワイトバランスは
ほぼ適正であることから、さらなる調整なしにステップＳ３９に進む。一方、ステップＳ３２〜Ｓ３７が
未だ１０回反復されていないと判断されると、ステップＳ３２に戻り、ホワイトバランスはさらに調整される。
ステップＳ３９では、次回のホワイトバランス調整において有用なデータとして、最終的に定められた
Ｒ、Ｂのゲイン値がスコープ側メモリ２４に記憶され、ホワイトバランスルーチンは終了する。
【手続補正４】
【補正対象書類名】図面
【補正対象項目名】図３
【補正方法】変更
【補正の内容】
【図３】
2008086697.tif 000001
【手続補正５】
【補正対象書類名】図面
【補正対象項目名】図４
【補正方法】変更
【補正の内容】
【図４】
2008086697.tif 000002
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
遊技の演出を行なう演出装置を備え、遊技において特定の条件が成立したときに、遊技者にとって有利な特定遊技状態に制御される遊技機であって、
前記演出装置に含まれ、予め定められた変動表示の実行条件が成立した後、変動表示の開始条件が成立したことに基づいて各々が識別可能な複数種類の識別情報の変動表示を行なって表示結果を導出表示し、前記特定遊技状態に制御される前記特定の条件が成立するときに、変動表示の表示結果として予め定められた特定表示結果を導出表示する変動表示装置と、
前記変動表示の実行条件が成立したが未だ前記変動表示の開始条件が成立していない前記変動表示の実行条件の成立回数を示す実行条件成立データを記憶する実行条件成立データ記憶手段と、
日時を特定可能とする計時を行なう計時手段と、
前記識別情報の変動表示が行なわれておらず、かつ、前記実行条件成立データ記憶手段に前記実行条件成立データが記憶されていないことに基づいて所定のデモンストレーション演出を実行するデモンストレーション実行手段とを備え、
該デモンストレーション実行手段は、前記計時手段の計時結果が予め定められたデモンストレーション実行条件を満たすことを条件に、前記デモンストレーション演出を実行することを特徴とする、遊技機。
【請求項２】
遊技において特別の条件が成立したときに、前記特定遊技状態とは異なる遊技者にとって有利な特別遊技状態に制御する特別遊技状態制御手段と、
前記計時手段の計時により特定される日時が、予め定められた日時から所定期間内であるか否かを判定する所定期間判定手段と、
前記特別遊技状態に制御されているときに予め定められた特別演出を実行するか否かを決定する特別演出決定手段とをさらに含み、
該特別演出決定手段は、前記所定期間判定手段により前記所定期間内であると判定されたときと、前記所定期間判定手段により前記所定期間外であると判定されたときとで、前記特別遊技状態に制御されているときに前記特別演出を実行するか否かを異なる割合で決定することを特徴とする、請求項１に記載の遊技機。
【請求項３】
前記演出装置による遊技の演出について、一の状況に対して複数の演出態様を有し、該複数の演出態様からいずれかの演出態様を選択する演出態様選択手段と、
遊技者による前記演出態様を選択する指示を受付ける選択受付手段とをさらに含み、
前記演出態様選択手段は、前記選択受付手段が受付けた指示に応じて、前記複数の演出態様のうちからいずれかの演出態様を選択するとともに、予め定められた日時から前記計時手段の計時により特定される日時までの期間の長さに応じて、選択可能な演出態様を増加させることを特徴とする、請求項１または２に記載の遊技機。
【請求項４】
前記演出装置による遊技の演出について、予め定められた日時からの経過時間に基づいて複数に分けられた期間において、関連する演出を実行する関連演出実行手段をさらに含み、
該関連演出実行手段は、少なくとも第１の演出態様と第２の演出態様とを含む第１の期間と、該第１の期間後の期間であって、少なくとも第３の演出態様と第４の演出態様とを含む第２の期間とにおいて、前記第１の演出態様と前記第３の演出態様とが関連し、前記第２の演出態様と前記第４の演出態様とが関連する演出を実行することを特徴とする、請求項１から３のいずれかに記載の遊技機。
【請求項５】
前記特定遊技状態に制御するか否かを前記変動表示の表示結果を導出表示する前に決定する事前決定手段と、
リーチ演出を行なうときに、前記事前決定手段により前記特定遊技状態に制御することが決定されたときに、前記事前決定手段により前記特定遊技状態に制御しないことが決定されたときと比べて高い割合で選択される特別のリーチ演出を含む複数種類のリーチ演出のうちから、リーチ演出の種類を選択するリーチ演出選択手段と、
前記計時手段の計時により特定される日時が、予め定められた日時から特定期間内であるか否かを判定する特定期間判定手段とをさらに含み、
前記リーチ演出選択手段は、前記特定期間判定手段により前記特定期間内であると判定されたときと、前記特定期間判定手段により前記特定期間外であると判定されたときとで、前記特別のリーチ演出を異なる割合で選択することを特徴とする、請求項１から４のいずれかに記載の遊技機。
【手続補正２】
【補正対象書類名】明細書
【補正対象項目名】００１１
【補正方法】変更
【補正の内容】
【００１１】
（３）  前記演出装置による遊技の演出について、一の状況（変動表示装置９で基本画面および演出画像が表示される状況）に対して複数の演出態様（図１２に示される山演出、海演出、街演出という演出の種類）を有し、該複数の演出態様からいずれかの演出態様を選択する演出態様選択手段（図３２のＳ４２６、図３３のＳ４５１〜Ｓ４５４）と、
遊技者による前記演出態様を選択する指示を受付ける選択受付手段（図４の選択ボタン３５８）とをさらに含み、
前記演出態様選択手段は、前記選択受付手段が受付けた指示に応じて、前記複数の演出態様のうちからいずれかの演出態様を選択する（図３３のＳ４５１〜Ｓ４５４）とともに、予め定められた日時から前記計時手段の計時により特定される日時までの期間の長さに応じて、選択可能な演出態様を増加させる（図１１（ａ）の稼動期間別演出選択情報テーブルにより、稼動開始日からの時間経過に応じて選択可能な演出種類が増加し、図３３のＳ４５１により選択可能な演出種類が表示される）。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
被検体に装着されるプローブホルダと、
先端部が上記プローブホルダに装着され、上記被検体に光を照射する複数の照射用光ファイバと、
先端部が上記プローブホルダに装着され、上記被検体を通過した光を検出する複数の検出用光ファイバと、
上記照射用光ファイバからの光の照射位置と上記検出用光ファイバによる光の検出位置との間に位置する複数の計測位置における光量が許容値に達しているかどうかを判定する制御部と、
上記制御部における光量の判定結果を表示する表示部と
を備えた生体光計測装置において、
上記制御部は、光量が不足している計測位置に対応する照射位置及び検出位置を、光量が許容値に達している計測位置に対応する照射位置及び検出位置とは異なる表示方法で上記表示部に表示することを特徴とする生体光計測装置。
【請求項２】
上記制御部は、光量が不足している計測位置に対応する照射位置及び検出位置を点滅及び点灯のいずれか一方で表示させ、光量が許容値に達している計測位置に対応する照射位置及び検出位置を点滅及び点灯のいずれか他方で表示することを特徴とする請求項１記載の生体光計測装置。
【請求項３】
上記制御部は、照射位置及び検出位置を、対応する計測位置のうち光量が不足していると判定された計測位置の数に応じて異なる表示方法で上記表示部に表示することを特徴とする請求項１又は請求項２に記載の生体光計測装置。
【請求項４】
上記制御部は、光量が不足している計測位置と、光量が許容値に達している計測位置とを異なる色で表示することを特徴とする請求項１記載の生体光計測装置。
【請求項５】
被検体に装着されるプローブホルダと、
先端部が上記プローブホルダに装着され、上記被検体に光を照射する複数の照射用光ファイバと、
先端部が上記プローブホルダに装着され、上記被検体を通過した光を検出する複数の検出用光ファイバと、
上記照射用光ファイバからの光の照射位置と上記検出用光ファイバによる光の検出位置との間に位置する複数の計測位置で検出される光量にゲイン値をかけて検出光量を均一化するとともに、上記ゲイン値の上限を設定して計測位置における光量が許容値に達しているかどうかを判定する自動ゲイン動作を行う制御部と、
上記自動ゲイン動作の結果を表示する表示部と
を備えた生体光計測装置において、
上記制御部は、上記自動ゲイン動作の結果が良である計測位置に対応する照射位置及び検出位置を、上記自動ゲイン動作の結果が不良である計測位置に対応する照射位置及び検出位置とは異なる表示方法で上記表示部に表示することを特徴とする生体光計測装置。
【請求項６】
被検体に装着されるプローブホルダと、
先端部が上記プローブホルダに装着され、上記被検体に光を照射する複数の照射用光ファイバと、
先端部が上記プローブホルダに装着され、上記被検体を通過した光を検出する複数の検出用光ファイバと、
上記照射用光ファイバからの光の照射位置と上記検出用光ファイバによる光の検出位置との間に位置する複数の計測位置における光量が許容値に達しているかどうかを判定する制御部と、
上記制御部における光量の判定結果を表示する表示部と
を備えた生体光計測装置において、
上記制御部は、計測位置を複数のグループに分けグループ毎に異なる形状で上記表示部に表示するとともに、各計測位置に対応する照射位置及び検出位置は、その計測位置の表示形状と共通の特徴を持つ形状で上記表示部に表示することを特徴とする生体光計測装置。
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
下記一般式（１）で表されるヒドロキシアミン化合物及び界面活性剤が担持された固体より構成される消臭フィルター。
【化１】
2008086436.tif 000001
（式中、Ｒ1は、水素原子、炭素数１〜５のアルキル基、又は炭素数１〜５のヒドロキシアルキル基を示し、Ｒ2は、水素原子、炭素数１〜６のアルキル基、又は炭素数１〜５のヒドロキシアルキル基を示し、Ｒ3及びＲ4は、同一でも異なっていてもよい炭素数１〜５のアルカンジイル基を示す。）
【請求項２】
下記一般式（１）で表されるヒドロキシアミン化合物及び界面活性剤が担持された繊維より構成される消臭シート。
【化２】
2008086436.tif 000002
（式中、Ｒ1は、水素原子、炭素数１〜５のアルキル基、又は炭素数１〜５のヒドロキシアルキル基を示し、Ｒ2は、水素原子、炭素数１〜６のアルキル基、又は炭素数１〜５のヒドロキシアルキル基を示し、Ｒ3及びＲ4は、同一でも異なっていてもよい炭素数１〜５のアルカンジイル基を示す。）
【請求項３】
上記繊維が合成樹脂繊維及び無機繊維から選ばれるものである請求項２記載の消臭シート。
【請求項４】
下記一般式（１）で表されるヒドロキシアミン化合物及び界面活性剤が担持された粉体状、顆粒状又は破砕粒状の固体より構成される消臭固体。
【化３】
2008086436.tif 000003
（式中、Ｒ1は、水素原子、炭素数１〜５のアルキル基、又は炭素数１〜５のヒドロキシアルキル基を示し、Ｒ2は、水素原子、炭素数１〜６のアルキル基、又は炭素数１〜５のヒドロキシアルキル基を示し、Ｒ3及びＲ4は、同一でも異なっていてもよい炭素数１〜５のアルカンジイル基を示す。）
【請求項５】
上記固体が活性炭、ケイ酸カルシウム及びシリカから選ばれるものである請求項４記載の消臭固体。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
複数種類の図柄が周方向に所定間隔で付された複数の回胴と、
前記複数の回胴の各回胴を収納し、かつ、前記各回胴に付された複数の図柄のうち一部の図柄を視認可能とする表示窓を設けた本体と、
単位遊技に供される所定数の遊技媒体をベットするためのベット手段と、
所定数の遊技媒体をベットした状態で各回胴を回転させて単位遊技を開始させるべく操作される始動操作手段と、
前記始動操作手段の操作に基づいて役の抽選を行う抽選手段と、
前記各回胴ごとに設けられ、前記各回胴を個別に回転させる複数の駆動手段と、
前記各回胴の回転を個別に停止させて単位遊技を終了させるべく操作される複数の停止操作手段と、
前記始動操作手段の操作に基づいて各回胴の回転を開始させるよう前記複数の駆動手段の各々を制御し、かつ、前記複数の停止操作手段の各々の操作に基づいて前記抽選手段の抽選結果に対応する各回胴の所定の図柄が前記表示窓から視認できる有効位置に停止し得るよう前記複数の駆動手段のうちの当該停止操作手段に対応する回胴の駆動手段を停止制御する駆動制御手段と、
前記複数の回胴の全ての停止により前記有効位置に停止した図柄の組合せが前記抽選手段の抽選結果に対応する役を成立させる組合せである場合に当該役に対応する所定数の遊技媒体を還元する払出手段と、
前記複数の回胴の全ての停止により前記有効位置に停止した図柄の組合せが前記抽選手段の抽選結果に対応する所定のボーナス役を成立させる組合せである場合に遊技状態を通常遊技状態より遊技媒体の獲得し易いボーナス遊技状態に移行させるボーナス遊技移行手段と、
前記複数の回胴の全ての停止により前記有効位置に停止した図柄の組合せが前記抽選手段の抽選結果に対応する再遊技役を成立させる組合せである場合に遊技媒体を新たにベットすることなく次の単位遊技を行えるよう制御する再遊技処理手段と、
所定条件の成立に基づき、前記再遊技役の当選確率を変動させる再遊技確率変動手段と、
を備えた遊技機において、
前記再遊技役として第１の再遊技役と第２の再遊技役とを含み、前記通常遊技状態において前記第１の再遊技役の当選確率が第１の通常確率でかつ前記第２の再遊技役の当選確率が前記第１の通常確率よりも低い第２の通常確率に設定されており、
前記再遊技確率変動手段が、
前記第２の再遊技役の成立に基づき、遊技状態を前記第１の再遊技役の当選確率が前記第１の通常確率よりも高い第１の高確率であるＲＴ遊技状態に移行させるＲＴ移行手段と、
前記ＲＴ準備移行役の成立に基づき、遊技状態を前記第２の再遊技役の当選確率が前記第２の通常確率よりも高くかつ前記第１の通常確率よりも低い第２の高確率であるＲＴ準備状態に移行させるＲＴ準備移行手段と、
を備えたことを特徴とする遊技機。
【請求項２】
前記ＲＴ準備移行役として複数種類の役が設定されており、
前記ＲＴ準備移行手段が、前記複数種類の役のいずれかの成立に基づき、前記複数種類の役に対応する複数種類のＲＴ準備状態のうち当該成立役に応じたＲＴ準備状態に移行させ、
前記複数種類のＲＴ準備状態の各々において、所定回数の単位遊技が行われたこと及び転落移行役が成立したことの少なくとも一方に基づいて、遊技状態を前記通常遊技状態に移行させる通常遊技移行手段を備え、
前記複数種類のＲＴ準備状態は、単位遊技の継続し得る所定回数、前記転落移行役の当選確率及び前記第２の高確率の少なくとも１つが相違する少なくとも２種類のＲＴ準備状態を含んでいる請求項１に記載の遊技機。
【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
遊技場に設置された管理装置と、遊技機に対応して設けられ、遊技媒体の貸与に使用できる貸与用残額を特定可能な記録媒体を受付け、該記録媒体により特定される貸与用残額の範囲内で遊技媒体を貸与するための貸与処理を行なう貸与処理手段を有する遊技用装置と、前記記録媒体により特定される貸与用残額の範囲内で精算に使用する貸与用残額に相当する貨幣価値を遊技者に付与する精算処理を実行する精算手段を有する精算装置と、前記管理装置と通信可能なセンター管理装置とを備え、前記貸与用残額を用いて募金を行なうための募金システムであって、
前記精算装置は、
前記記録媒体を受付ける記録媒体受付手段と、
該記録媒体受付手段により受付けられた前記記録媒体により特定される貸与用残額に予め設定された設定金種未満の端数額が存在するか否かを判定する端数判定手段と、
該端数判定手段により端数額が存在すると判定されたときに、遊技者に対し該端数額の募金に同意するか否かの報知を行なう募金報知手段と、
遊技者からの入力を受付けて前記募金に同意するか否かを判断する募金同意判断手段とを備え、
前記募金同意判断手段により募金に同意すると判断されたときに、前記貸与用残額から前記端数額を除外した残額に対して前記精算手段による精算処理を実行するとともに、該精算処理の実行に伴い前記端数額を募金額として前記管理装置に送信し、
前記管理装置は、前記精算装置から送信されてきた前記募金額を集計し、該集計結果を前記センター管理装置へ送信し、
前記センター管理装置は、前記管理装置から送信されてきた前記集計結果から遊技場毎の募金額を集計することを特徴とする、募金システム。
【請求項２】
前記精算装置は、前記募金同意判断手段により募金に同意しないと判断されたときに、前記端数額を前記受付けた記録媒体により特定して再使用できる状態に残しておき、前記貸与用残額から前記端数額を除外した残額に対し前記精算処理を前記精算手段により実行することを特徴とする、請求項１に記載の募金システム。
【請求項３】
前記貸与処理手段は、前記受付けた記録媒体により特定される貸与用残額の範囲内で予め定められた貸与単位額の整数倍の貸与用残額に相当する遊技媒体を貸与し、
前記遊技用装置は、
前記受付けた記録媒体により特定される貸与用残額が前記貸与単位額未満であるか否かを判定する貸与単位額未満判定手段と、
該貸与単位額未満判定手段により前記貸与単位額未満であると判定されたときに、遊技者に対し前記貸与単位額未満の残額の募金に同意するか否かの報知を行なう募金報知手段と、
遊技者からの入力を受付けて前記募金に同意するか否かを判断する募金同意判断手段と、
該募金同意判断手段により募金に同意すると判断されたときに、前記貸与単位額未満の残額を消去するための処理を実行する消去処理手段とを備え、
前記貸与単位額未満の残額を募金額として前記管理装置に送信することを特徴とする、請求項１または請求項２に記載の募金システム。
【請求項４】
前記遊技用装置は、
前記管理装置と通信できる通信可能状態であるか通信できない通信不可能状態であるかを検知する通信可否検知手段と、
該通信可否検知手段により通信不可能状態を検知しているときに貨幣を受け付けたことに基づいて、該受付貨幣額から、前記貸与単位額の整数倍に相当する貸与対象額を特定するとともに、該貸与対象額と該貸与対象額に対応する間接税額との合算額を前記受付貨幣額から減算した端数額を特定する特定手段とをさらに有し、
該特定手段により貸与対象額が特定されたことに基づいて、遊技者の操作によることなく、該特定された貸与対象額分の遊技媒体を貸与するための処理を前記貸与処理手段により行ない、
前記特定手段により特定された端数額を前記受付貨幣額の残額である入金残額として記録した前記記録媒体を排出する処理を行ことを特徴とする、請求項１〜請求項３のいずれかに記載の募金システム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
（４）  前記遊技用装置は、
前記管理装置と通信できる通信可能状態であるか通信できない通信不可能状態であるかを検知する通信可否検知手段（たとえば、オフライン状態かオンライン状態かを検知する制御部２１：管理装置５０の後述する通信部５１から各玉貸ユニット２０に対して定期的（たとえば１０秒ごと）に送信されてくる通信確認要求に基づいて、該通信確認要求の受信を定期的に検知している間はオンライン状態（即ち管理装置５０と通信できる通信可能状態）であると判定し、該通信確認要求の受信を一定期間（たとえば１分間）検知しなくなるとオフライン状態（即ち管理装置５０と通信できない通信不可能状態）であると判定する）と、
該通信可否検知手段により通信不可能状態を検知しているときに貨幣を受け付けたこと（たとえば、図１６のＳ５１０）に基づいて、該受付貨幣額から、前記貸与単位額の整数倍に相当する貸与対象額を特定するとともに、該貸与対象額と該貸与対象額に対応する間接税額との合算額を前記受付貨幣額から減算した端数額を特定する特定手段（たとえば、図１６のＳ５１１〜Ｓ５１３、Ｓ５１５、Ｓ５１６、Ｓ５１９、Ｓ５２０）とをさらに有し、
該特定手段により貸与対象額が特定されたことに基づいて、遊技者の操作によることなく、該特定された貸与対象額分の遊技媒体を貸与するための処理を前記貸与処理手段により行ない（たとえば、図１６のＳ５２２）、
前記特定手段により特定された端数額を前記受付貨幣額の残額である入金残額として記録した前記記録媒体を排出する処理を行なう（たとえば、図１８のＳ９４１〜Ｓ９４３、Ｓ５５２、図１９のＳ９５１〜Ｓ９５３、Ｓ５７１、図２０のＳ９６１〜Ｓ９６３、Ｓ５８６）ことを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
ベースに透明導電膜からなる膜パターンを成膜する第１工程と、
成膜された前記膜パターンの膜厚分布を、前記膜パターンの電気抵抗と透過率との少なくとも一つを用いて複数の位置で計測し前記膜厚分布に変換する第２工程と、
計測した膜厚分布に基づく位置に、前記膜パターンの形成材料を含む液滴を塗布する第３工程と、
を有することを特徴とする膜パターン形成方法。
【請求項２】
請求項１記載の膜パターン形成方法において、
前記第３工程の後に、前記膜パターンの膜厚分布を再計測し、所定のしきい値と比較する第４工程を有することを特徴とする膜パターン形成方法。
【請求項３】
請求項２記載の膜パターン形成方法において、
前記所定のしきい値との比較結果に応じて、前記膜パターンの形成材料を含む液滴を再塗布する第５工程を有することを特徴とする膜パターン形成方法。
【請求項４】
請求項３記載の膜パターン形成方法において、
前記第５工程では、再計測した結果と前記膜パターンの膜厚に関する許容値とを比較し、比較した結果に基づいて、前記膜パターンの形成材料を含む液滴を再塗布する工程を含むことを特徴とする膜パターン形成方法。
【請求項５】
請求項２から４のいずれかに記載の膜パターン形成方法において、
前記第４工程では、少なくとも前記第３工程で前記膜パターンの形成材料を含む液滴の塗布位置と、該塗布位置の周囲の非塗布位置とで計測した結果に基づいて、前記膜厚分布を再計測することを特徴とする膜パターン形成方法。
【請求項６】
請求項１から５のいずれかに記載の膜パターン形成方法において、
前記第１工程では、前記ベースに前記膜パターンの形成材料を含む液滴を塗布して、前記膜パターンを成膜することを特徴とする膜パターン形成方法。
【手続補正２】
【補正対象書類名】明細書
【補正対象項目名】発明の名称
【補正方法】変更
【補正の内容】
【発明の名称】膜パターン形成方法
【手続補正３】
【補正対象書類名】明細書
【補正対象項目名】０００１
【補正方法】変更
【補正の内容】
【０００１】
本発明は、膜パターン形成方法に関するものである。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
略正方形状の遊技板を有するとともに、当該遊技板においてレール部材によって遊技領域が区画形成された遊技盤と、
前記遊技盤を着脱可能な額縁状の装着枠を少なくとも有する本体枠と、
前記遊技領域を視認可能に被覆する円形状の透明板が略中央部に取り付けられ、前記本体枠に開閉自在に取り付けられる前面枠と、
一または複数の図柄画像が少なくとも表示される画像表示領域を有し、前記遊技盤よりも後方側に配置される演出表示装置と、
前記遊技領域に設けられ、当該遊技領域を流下する遊技球の通過または受入が可能な開放口と、
所定の演出または抽選を行う役物と、
を備え、
前記開放口への遊技球の通過または受入を検出する開放口検出手段、
前記開放口検出手段により前記開放口への遊技球の通過または受入があった旨が検出されたことに応じて内部的な抽選処理を行う抽選手段、および
前記抽選手段による抽選処理の結果に基づいて、前記演出表示装置が有する前記画像表示領域に表示される前記一または複数の図柄画像の表示制御を行う画像表示制御手段、
を有する遊技制御手段と、
をさらに備えると共に、所定の条件が満たされたときに、遊技者に有利な特別遊技を行う遊技機であって、
前記遊技盤には、前記遊技領域に遊技球が打ち込まれる誘導通路を形成する球ガイド部と、前記遊技領域に打ち込まれた遊技球が排出される球排出口とが形成されており、
前記前面枠は、前記本体枠に対して装着されると、正面視で当該本体枠の少なくとも３分の２以上を占める面積を有しており、
前記遊技領域は、前記遊技盤が有する正方形状の遊技板に対して略内接円をなすように前記レール部材が配置されて、当該遊技盤の少なくとも４分の３以上の面積を有するものであって、
前記画像表示領域は、前記遊技領域の少なくとも３分の１以上の面積を有し、かつ、当該画像表示領域において表示される前記一または複数の図柄画像が前記遊技盤を介して視認可能となるように構成され、
前記役物は、前記遊技領域のほぼ４分の１の面積を有するとともに、当該役物の少なくとも一部は、当該画像表示領域の少なくとも一部が隠蔽される隠蔽領域を有するように前記画像演出装置と重ねて配置される一方、
前記遊技領域に打ち込まれた遊技球は、前記役物によって当該遊技球の流動が阻害されることなく、前記球ガイド部から前記球排出口まで当該遊技領域を流下したのちに排出される
ことを特徴とする遊技機。
【請求項２】
前記画像表示領域は、水平方向を長手方向とする長方形のものであって、
前記役物は、前記画像表示領域の一の角部と、当該一の角部を形成する長辺の一部と、当該一の角部を形成する短辺の２分の１以上と、を含む領域を隠蔽しており、
前記画像表示制御手段は、前記長手方向に沿って複数の前記図柄列を並べると共に、当該図柄列を構成する図柄を、変動表示期間の全期間に亘って前記長手方向の長さよりも長くなる方向に移動するように表示制御する図柄変動制御手段、
を有する
ことを特徴とする請求項１に記載の遊技機。
【請求項３】
前記役物は、前記遊技領域の略中央部に形成された開口部と、当該遊技領域の外側とを跨って配置される
ことを特徴とする請求項１または請求項２に記載の遊技機。
【手続補正２】
【補正対象書類名】明細書
【補正対象項目名】０００６
【補正方法】変更
【補正の内容】
【０００６】
前記課題を解決するための本発明に係る遊技機は、略正方形状の遊技板を有するとともに、当該遊技板においてレール部材によって遊技領域が区画形成された遊技盤と、前記遊技盤を着脱可能な額縁状の装着枠を少なくとも有する本体枠と、前記遊技領域を視認可能に被覆する円形状の透明板が略中央部に取り付けられ、前記本体枠に開閉自在に取り付けられる前面枠と、一または複数の図柄画像が少なくとも表示される画像表示領域を有し、前記遊技盤よりも後方側に配置される演出表示装置と、前記遊技領域に設けられ、当該遊技領域を流下する遊技球の通過または受入が可能な開放口と、所定の演出または抽選を行う役物と、を備え、前記開放口への遊技球の通過または受入を検出する開放口検出手段、前記開放口検出手段により前記開放口への遊技球の通過または受入があった旨が検出されたことに応じて内部的な抽選処理を行う抽選手段、および前記抽選手段による抽選処理の結果に基づいて、前記演出表示装置が有する前記画像表示領域に表示される前記一または複数の図柄画像の表示制御を行う画像表示制御手段、を有する遊技制御手段と、をさらに備えると共に、所定の条件が満たされたときに、遊技者に有利な特別遊技を行う遊技機であって、前記遊技盤には、前記遊技領域に遊技球が打ち込まれる誘導通路を形成する球ガイド部と、前記遊技領域に打ち込まれた遊技球が排出される球排出口とが形成されており、前記前面枠は、前記本体枠に対して装着されると、正面視で当該本体枠の少なくとも３分の２以上を占める面積を有しており、前記遊技領域は、前記遊技盤が有する正方形状の遊技板に対して略内接円をなすように前記レール部材が配置されて、当該遊技盤の少なくとも４分の３以上の面積を有するものであって、前記画像表示領域は、前記遊技領域の少なくとも３分の１以上の面積を有し、かつ、当該画像表示領域において表示される前記一または複数の図柄画像が前記遊技盤を介して視認可能となるように構成され、前記役物は、前記遊技領域のほぼ４分の１の面積を有するとともに、当該役物の少なくとも一部は、当該画像表示領域の少なくとも一部が隠蔽される隠蔽領域を有するように前記画像演出装置と重ねて配置される一方、前記遊技領域に打ち込まれた遊技球は、前記役物によって当該遊技球の流動が阻害されることなく、前記球ガイド部から前記球排出口まで当該遊技領域を流下したのちに排出されることを特徴とする。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
遊技領域を有する遊技盤を備え、前記遊技領域に向けて打ち込まれた遊技球を当該遊技領域にて流下させる弾球遊技において所定の条件が満たされたときに、遊技者に有利な特別遊技を行う遊技機であって、
前記遊技領域に形成され、遊技球の通過または受け入れが可能な開放口と、
複数の図柄から構成される図柄列が表示され、水平方向を長手方向とする長方形の画像表示領域を有する画像表示装置と、
所定の演出または抽選を行う役物と、
前記開放口への遊技球の通過または受け入れを検出する開放口検出手段、
前記開放口検出手段により前記開放口への遊技球の通過または受け入れがあった旨が検出されたことに応じて内部的な抽選処理を行う抽選手段、および
前記抽選手段による内部的な抽選処理の結果に基づいて前記画像表示領域に表示される前記複数の図柄の表示制御を行う画像表示制御手段、
を少なくとも有する遊技制御手段と、
を備え、
前記役物は、前記画像表示領域の一部を覆潰することによって当該画像表示領域を視認可能な可視領域を異形形成すると共に、
前記画像表示制御手段は、前記図柄列を、前記異形形成された可視領域に沿って表示制御する図柄列変動制御手段を有する
ことを特徴とする遊技機。
【請求項２】
前記役物は、複数の選択口が周方向に沿って設けられる円形状のものであると共に、当該画像表示領域の一の角部と、当該一の角部を形成する長辺の一部と、当該一の角部を形成する短辺の半分以上と、を含む領域を覆潰しており、
前記画像表示制御手段は、前記長手方向に沿って複数の前記図柄列を並べると共に、当該図柄列を構成する図柄を、変動表示期間の全期間に亘って前記長手方向の長さよりも長くなる方向に移動するように表示制御する図柄変動制御手段、
を有する
ことを特徴とする請求項１に記載の遊技機。
【請求項３】
前記画像表示制御手段は、前記複数の図柄が移動表示されるに際し、当該移動方向に沿って当該図柄が大きくなるように表示制御する
ことを特徴とする請求項２に記載の遊技機。
【手続補正２】
【補正対象書類名】明細書
【補正対象項目名】０００６
【補正方法】変更
【補正の内容】
【０００６】
前記課題を解決するための本発明に係る遊技機は、遊技領域を有する遊技盤を備え、前記遊技領域に向けて打ち込まれた遊技球を当該遊技領域にて流下させる弾球遊技において所定の条件が満たされたときに、遊技者に有利な特別遊技を行う遊技機であって、前記遊技領域に形成され、遊技球の通過または受け入れが可能な開放口と、複数の図柄から構成される図柄列が表示され、水平方向を長手方向とする長方形の画像表示領域を有する画像表示装置と、所定の演出または抽選を行う役物と、前記開放口への遊技球の通過または受け入れを検出する開放口検出手段、前記開放口検出手段により前記開放口への遊技球の通過または受け入れがあった旨が検出されたことに応じて内部的な抽選処理を行う抽選手段、および前記抽選手段による内部的な抽選処理の結果に基づいて前記画像表示領域に表示される前記複数の図柄の表示制御を行う画像表示制御手段、を少なくとも有する遊技制御手段と、を備え、前記役物は、前記画像表示領域の一部を覆潰することによって当該画像表示領域を視認可能な可視領域を異形形成すると共に、前記画像表示制御手段は、前記図柄列を、前記異形形成された可視領域に沿って表示制御する図柄列変動制御手段を有することを特徴とする。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
開口部が形成されると共に遊技領域を有する遊技板から成る遊技盤と、
前記開口部を介して視認可能な画像表示領域を有すると共に、前記遊技板よりも所定の間隔を隔てた後方であって且つ当該遊技板と前記画像表示領域の表示面とが平行となるように配置される画像表示装置と、
前記遊技領域に設けられ、遊技球の受け入れが可能な受入口と、
前記遊技領域に設けられ、遊技球の受け入れが不可能な閉鎖態様と遊技球の受け入れが可能な開放態様との間で変位可能な開閉装置と、
前記遊技領域または／および前記遊技領域の近傍に設けられ、補助的な演出を行う電飾装置と、
前記開閉装置から受け入れられた遊技球を用いた所定の動作により抽選を行う役物抽選装置と、
前記受入口への遊技球の受け入れを検出する受入口検出手段、
前記受入口検出手段により前記受入口への遊技球の受け入れがあった旨が検出されたことに応じて内部的な抽選処理を行う内部抽選手段、
所定の演出画像および前記内部的な抽選処理による抽選結果を、前記画像表示領域に導出する画像表示制御手段、
前記内部的な抽選処理による抽選結果としての特定の画像が前記画像表示領域に現れたときに、前記開閉装置を前記閉鎖態様から前記開放態様に変位させる開閉制御手段、
前記役物抽選装置による抽選に当選したことを検出する役物当選検出手段、並びに
前記役物当選検出手段によって当選した旨が検出されたことに応じて遊技者に有利な特別遊技を行う特別遊技実行手段、
を少なくとも有する遊技制御手段と、
を備え、
前記役物抽選装置は、
当該役物抽選装置による抽選結果が前記開閉装置からの遊技球の受け入れタイミングに影響されると共に、
前記画像表示領域に表示される画像と前記役物抽選装置による前記所定の動作とを同時に観測し得るように、前記遊技板の後面であって且つ前記画像表示装置の近傍において、前記画像表示領域の一部と重ね合わせて配置されている
ことを特徴とする遊技機。
【請求項２】
前記役物抽選装置は、複数の選択口が周方向に沿って設けられる円形状のものであり、
前記開閉装置から受け入れられた遊技球が前記役物抽選装置に向けて転動可能な転動通路をさらに備え、
前記遊技制御手段は、前記転動通路を転動する遊技球が前記複数の選択口のうちいずれかの選択口に受け入れられるように、当該役物抽選装置を回転制御する役物制御手段を、さらに有しており、
前記役物抽選装置は、前記遊技板の後面側であって且つ前記遊技領域の内側と当該遊技領域の外側とに跨って配置されている
ことを特徴とする請求項１に記載の遊技機。
【請求項３】
前記役物抽選装置は、前記遊技領域の内側にて視認可能となる視認可能領域を有すると共に、
前記転動通路は、当該転動通路を転動する遊技球が前記視認可能領域にて前記複数の選択口のうちいずれかの選択口に受け入れられるように配置されている
ことを特徴とする請求項２に記載の遊技機。
【手続補正２】
【補正対象書類名】明細書
【補正対象項目名】０００７
【補正方法】変更
【補正の内容】
【０００７】
前記課題を解決するための本発明に係る遊技機は、開口部が形成されると共に遊技領域を有する遊技板から成る遊技盤と、前記開口部を介して視認可能な画像表示領域を有すると共に、前記遊技板よりも所定の間隔を隔てた後方であって且つ当該遊技板と前記画像表示領域の表示面とが平行となるように配置される画像表示装置と、前記遊技領域に設けられ、遊技球の受け入れが可能な受入口と、前記遊技領域に設けられ、遊技球の受け入れが不可能な閉鎖態様と遊技球の受け入れが可能な開放態様との間で変位可能な開閉装置と、前記遊技領域または／および前記遊技領域の近傍に設けられ、補助的な演出を行う電飾装置と、前記開閉装置から受け入れられた遊技球を用いた所定の動作により抽選を行う役物抽選装置と、前記受入口への遊技球の受け入れを検出する受入口検出手段、前記受入口検出手段により前記受入口への遊技球の受け入れがあった旨が検出されたことに応じて内部的な抽選処理を行う内部抽選手段、所定の演出画像および前記内部的な抽選処理による抽選結果を、前記画像表示領域に導出する画像表示制御手段、前記内部的な抽選処理による抽選結果としての特定の画像が前記画像表示領域に現れたときに、前記開閉装置を前記閉鎖態様から前記開放態様に変位させる開閉制御手段、前記役物抽選装置による抽選に当選したことを検出する役物当選検出手段、並びに前記役物当選検出手段によって当選した旨が検出されたことに応じて遊技者に有利な特別遊技を行う特別遊技実行手段、を少なくとも有する遊技制御手段と、を備え、前記役物抽選装置は、当該役物抽選装置による抽選結果が前記開閉装置からの遊技球の受け入れタイミングに影響されると共に、前記画像表示領域に表示される画像と前記役物抽選装置による前記所定の動作とを同時に観測し得るように、前記遊技板の後面であって且つ前記画像表示装置の近傍において、前記画像表示領域の一部と重ね合わせて配置されていることを特徴とする。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
遊技領域を有する遊技盤を備え、前記遊技領域に向けて打ち込まれた遊技球を当該遊技領域にて流下させる弾球遊技において所定の条件が満たされたときに、遊技者に有利な特別遊技を行う遊技機であって、
前記遊技領域に形成され、遊技球の通過または受け入れが可能な開放口と、
複数の図柄から構成される図柄列の変動表示が行われ、水平方向を長手方向とする長方形の画像表示領域を有する画像表示装置と、
前記開放口への遊技球の通過または受け入れを検出する開放口検出手段、
前記開放口検出手段により前記開放口への遊技球の通過または受け入れがあった旨が検出されたことに応じて抽選処理を行う抽選手段、および
前記抽選手段による抽選処理の結果に基づいて前記画像表示領域に表示される前記複数の図柄の表示制御を行う画像表示制御手段、
を少なくとも有する遊技制御手段と、
を備え、
前記画像表示制御手段は、
前記長手方向に沿って複数の前記図柄列を並べると共に、当該図柄列を構成する図柄を、変動表示期間の全期間に亘って前記長手方向の長さよりも長くなる方向に移動するように表示制御する図柄変動制御手段を有する
ことを特徴とする遊技機。
【請求項２】
前記遊技盤は、開口部が形成された前記遊技領域を有する遊技板から構成されており、
前記画像表示装置は、前記遊技板よりも所定の間隔を隔てた後方であって且つ当該遊技板と前記画像表示領域の表示面とが平行となるように配置されており、
前記遊技領域または／および前記遊技領域の近傍に設けられ、補助的な演出を行う電飾装置と、
前記遊技領域に設けられ、遊技球の受け入れが不可能な閉鎖態様と遊技球の受け入れが可能な開放態様との間で変位可能な開閉装置と、
前記開閉装置から受け入れられた遊技球を用いた所定の動作により役物抽選を行う役物抽選装置と、
をさらに備え、
前記抽選手段は、内部的な抽選処理を行うものであり、
前記遊技制御手段は、
前記内部的な抽選処理による抽選結果としての特定の画像が前記画像表示領域に現れたときに、前記開閉装置を前記閉鎖態様から前記開放態様に変位させる開閉制御手段、
前記役物抽選装置による抽選に当選したことを検出する役物当選検出手段、および
前記役物当選検出手段によって当選した旨が検出されたことに応じて遊技者に有利な特別遊技を行う特別遊技実行手段、
をさらに有しており、
前記役物抽選装置は、
当該役物抽選装置による抽選結果が前記開閉装置からの遊技球の受け入れタイミングに影響されると共に、
前記画像表示領域に表示される画像と前記役物抽選装置による前記所定の動作とを同時に観測し得るように、前記遊技板の後面であって且つ前記画像表示装置の近傍において、前記画像表示領域の一部と重ね合わせて配置されている
ことを特徴とする請求項１に記載の遊技機。
【請求項３】
前記画像表示領域は、
当該画像表示領域の一の角部および当該一の角部に対角する角部に隣接する角部を含む領域が当該画像表示領域の一部としての前記役物抽選装置によって掩覆される掩覆領域と、
前記開口部を介して視認可能な可視領域とを有する
ことを特徴とする請求項２に記載の遊技機。
【手続補正２】
【補正対象書類名】明細書
【補正対象項目名】０００８
【補正方法】変更
【補正の内容】
【０００８】
前記課題を解決するための本発明に係る遊技機は、遊技領域を有する遊技盤を備え、前記遊技領域に向けて打ち込まれた遊技球を当該遊技領域にて流下させる弾球遊技において所定の条件が満たされたときに、遊技者に有利な特別遊技を行う遊技機であって、前記遊技領域に形成され、遊技球の通過または受け入れが可能な開放口と、複数の図柄から構成される図柄列の変動表示が行われ、水平方向を長手方向とする長方形の画像表示領域を有する画像表示装置と、前記開放口への遊技球の通過または受け入れを検出する開放口検出手段、前記開放口検出手段により前記開放口への遊技球の通過または受け入れがあった旨が検出されたことに応じて抽選処理を行う抽選手段、および前記抽選手段による抽選処理の結果に基づいて前記画像表示領域に表示される前記複数の図柄の表示制御を行う画像表示制御手段、を少なくとも有する遊技制御手段と、を備え、前記画像表示制御手段は、前記長手方向に沿って複数の前記図柄列を並べると共に、当該図柄列を構成する図柄を、変動表示期間の全期間に亘って前記長手方向の長さよりも長くなる方向に移動するように表示制御する図柄変動制御手段を有することを特徴とする。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
被検者を載置する寝台の天板に前記被検者を固定する被検者固定装置であって、
前記天板に前記被検者を固定する固定ベルトと、
前記固定ベルトの天板への巻き込みを防止する固定ベルト巻き込み防止部と
を具備したことを特徴とする被検者固定装置。
【請求項２】
請求項１に記載の被検者固定装置において、
前記固定ベルト巻き込み防止部は、前記固定ベルトを斜めに突出させるための保持部を備えることを特徴とする被検者固定装置。
【請求項３】
請求項１または２のいずれかに記載の被検者固定装置において、
前記固定ベルト巻き込み防止部は、前記固定ベルト未使用時に前記固定ベルトの曲げ半径を規制する半径規制部を備えることを特徴とする被検者固定装置。
【手続補正書】
【提出日】平成21年8月25日(2009.8.25)
【手続補正１】
【補正対象書類名】明細書
【補正対象項目名】００３１
【補正方法】変更
【補正の内容】
【００３１】
ベースプレート２６は、たとえば、鉄からなり、円板状に形成される。渦電流の発生を防止するための珪素鋼板２８は、円板状に形成され、ベースプレート２６に接着剤等で固定される。
【手続補正２】
【補正対象書類名】明細書
【補正対象項目名】００３２
【補正方法】変更
【補正の内容】
【００３２】
図２に示すように、環状突起３０は、たとえば、鉄からなる複数（ここでは８個）の環状突起片３４によって構成される。各環状突起片３４は、内側面が円弧状に形成され、外側面が平面状に形成される。図２からわかるように、このような複数の環状突起片３４によって構成される環状突起３０は、内形が円形となり、外形が略円形（ここでは８角形）となる。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
所定の生産ラインを通じて組み立てられた遊技盤が順次列をなして移送される移送経路と、
この移送経路に沿って移動可能に設けられ、前記遊技盤に接続された状態でその移送方向に移動しつつ前記遊技盤に付属する制御装置および動作部の作動に必要な電力を供給し、前記遊技盤に付属する制御装置の検査を行う給電ユニットを具備し、
前記遊技盤に装備される制御装置は、遊技機による遊技内容の進行を制御する主基板と、この主基板から指令信号を受け取って所定の演出動作を制御する演出制御基板とを含んでおり、前記給電ユニットは、前記主基板から受け取った主制御信号に基づいて賞球の払い出し個数を数値表示する表示部と、前記演出制御基板から受け取った演出制御信号に基づいて音および光の少なくとも一方を出力する演出動作部とを含んでいることを特徴とする遊技機の生産設備。
【請求項２】
請求項１記載の遊技機の生産設備において、前記生産設備は、前記移送経路の途中に設けられ、前記遊技盤が前記給電ユニットに接続されている状態で所定の検査を実行するための検査区間と、
前記移送経路に並行して給電ユニットの移動を案内し、かつ、前記検査区間に対応する位置で前記給電ユニットに対して電力を供給するトロリーレールを備え、
前記生産設備は、前記トロリーレールの起点から終点まで給電ユニットが移動した後、この終点から送出された前記給電ユニットを前記トロリーレールの起点まで循環させる循環手段をも備え、
前記循環手段により前記給電ユニットが前記トロリーレールを通過して一巡する間にその給電が停止される停電区間をさらに備えており、前記給電ユニットは、前記停電区間から前記検査区間への移行に伴って給電を開始されたとき、所定の自己診断動作を実行する診断手段を備えることを特徴とする遊技機の生産設備。
【請求項３】
前記演出制御基板が少なくとも２つのスピーカから音を出力するべく２つの制御信号を出力可能である場合、前記給電ユニットの前記演出動作部は、前記２つの制御信号の一方に基づいて音を出力するとともに、その他方に基づいて光を出力することを特徴とする請求項１もしくは請求項２記載の遊技機の生産設備。
【手続補正書】
【提出日】平成21年3月31日(2009.3.31)
【手続補正１】
【補正対象書類名】明細書
【補正対象項目名】特許請求の範囲
【補正方法】変更
【補正の内容】
【特許請求の範囲】
【請求項１】
バイオマス資源を出発原料として担子菌、腐朽菌類による菌体処理工程と、
前記菌体処理工程の処理物を高圧熱水で処理する高圧熱水処理工程と
を有することを特徴とする単糖類及び／又はオリゴ糖類の製造方法。
【請求項２】
バイオマス資源を出発原料として担子菌、腐朽菌類による菌体処理工程と、
前記菌体処理工程の処理物を高圧熱水で処理する高圧熱水処理工程と、
前記高圧熱水処理工程の処理物を酵素で処理する酵素処理工程と
を有することを特徴とする単糖類及び／又はオリゴ糖類の製造方法。
【請求項３】
出発原料のバイオマス資源が、担子菌栽培に利用した後のコーンコブ廃培地であることを特徴とする請求項１又は２記載の単糖類及び／又はオリゴ糖類の製造方法。
【請求項４】
出発原料のバイオマス資源が、担子菌栽培に利用した後の広葉樹・針葉樹木廃培地であることを特徴とする請求項１又は２記載の単糖類及び／又はオリゴ糖類の製造方法。
【請求項５】
前記高圧熱水処理工程が、前記菌体処理工程の処理物を１６０〜２３０℃の温度で、０．５〜１０ＭＰａの圧力下に行われることを特徴とする請求項１乃至４のいずれか１項記載の単糖類及び／又はオリゴ糖類の製造方法。
【請求項６】
前記酵素処理工程に用いる酵素が、出発原料の担子菌栽培と同種の担子菌体由来の酵素であることを特徴とする請求項１乃至５のいずれか１項記載の単糖類及び／又はオリゴ糖類の製造方法。
【請求項７】
請求項１記載の高圧熱水処理工程の処理物から木質成分を固形残渣として分離し、前記固形残渣にセルラーゼ及び／又はキシラナーゼを作用させることを特徴とする単糖類及び／又はオリゴ糖類の製造方法。
【請求項８】
担子菌、腐朽菌類を収容する菌体処理装置と、
前記菌体処理装置の処理物を高圧熱水で処理する高圧熱水処理装置と
を有することを特徴とする単糖類及び／又はオリゴ糖類の製造装置。
【請求項９】
担子菌、腐朽菌類を収容する菌体処理装置と、
前記菌体処理装置の処理物を高圧熱水で処理する高圧熱水処理装置と
前記高圧熱水処理装置による処理物を処理する酵素を収容する酵素処理装置とを有することを特徴とする単糖類及び／又はオリゴ糖類の製造装置。
【手続補正２】
【補正対象書類名】明細書
【補正対象項目名】発明の名称
【補正方法】変更
【補正の内容】
【発明の名称】単糖類及び／又はオリゴ糖類の製造方法
【手続補正３】
【補正対象書類名】明細書
【補正対象項目名】００１０
【補正方法】変更
【補正の内容】
【００１０】
さらに、超臨界水、亜臨界水をセルロースに作用させて加水分解し単糖類を得る方法では、反応速度が速いという利点があるが、制御を誤るとフルフラールなどの副生成物が大量に発生して収率が低下するとともに生成物の産業用途が著しく制約されるという問題があった。また大型プラント化を指向した場合、水の超臨界領域（臨界点：３７４℃、２２．１ＭＰａ）の温度、圧力、酸化力に耐えうる特殊合金で内張りした耐食性の高耐圧反応器が必要となるという問題もあった。
【手続補正４】
【補正対象書類名】明細書
【補正対象項目名】００１３
【補正方法】変更
【補正の内容】
【００１３】
そこで本発明の目的は、バイオマス資源を出発原料として、効率良くセルロース、ヘミセルロース、リグニンの成分を分離することにより、農業、発酵醸造産業などから排出される資源を循環利用するとともに、医薬、食品、工業材料、エネルギー資源へ有効に利用できる単糖類及び／又はオリゴ糖類を効率よく製造する方法と装置を提供することである。
【手続補正５】
【補正対象書類名】明細書
【補正対象項目名】００２１
【補正方法】変更
【補正の内容】
【００２１】
ここで、請求項１記載の高圧熱水処理工程の処理物から木質成分を固形残渣として分離し、前記固形残渣に有機溶剤を作用させてリグニン成分を分離抽出する木質成分の分離方法を行うこともできる。
【手続補正６】
【補正対象書類名】明細書
【補正対象項目名】００２９
【補正方法】変更
【補正の内容】
【００２９】
上記した木質成分の分離方法によれば、バイオマス資源を出発原料に担子菌類による処理工程と高圧熱水処理工程からなる請求項１記載の木質成分の分離工程に置いて、処理工程後の固形残渣に有機溶剤を作用させリグニン成分を溶解することにより化学的な修飾を受けていないリグニンを抽出する作用効果が得られる。
【手続補正７】
【補正対象書類名】明細書
【補正対象項目名】００３５
【補正方法】変更
【補正の内容】
【００３５】
またドリセラーゼに代えて、コーンコブ廃培地を緩衝溶液で処理し溶出したエノキタケ菌体由来の酵素を硫安沈殿法で分離した素酵素を同条件にて作用させた。
【手続補正８】
【補正対象書類名】図面
【補正対象項目名】図１
【補正方法】変更
【補正の内容】
【図１】
2005027541.tif 000001